(57)【要約】  特定の実施形態において、エンドイルミネータ出力を決定することは、エンドイルミネータシステムの照明器寄与と、エンドイルミネータシステムの１つ以上の光ファイバのファイバ寄与とを計算することを含む。エンドイルミネータ出力は照明器寄与およびファイバ寄与から決定される。照明器寄与は、照明器レグ効率、減衰器係数、初期ランプ性能、および／またはこのランプのランプ性能劣化係数などの校正されたまたは経験的に決定された係数を用いて確立されてもよい。ファイバ寄与は、光ファイバのファイバ結合係数および／またはファイバ伝送率などの校正されたまたは経験的に決定された係数を用いて確立されてもよい。
2015506540.tif 000002
【特許請求の範囲】
【請求項１】
エンドイルミネータ出力を決定する方法であって、
エンドイルミネータシステムのランプのランプ性能劣化係数を確立することと、
前記ランプ性能劣化係数を用いて、前記ランプの照明器寄与を計算することと、
前記エンドイルミネータシステムの１つ以上の光ファイバのファイバ寄与を計算することと、
前記照明器寄与および前記ファイバ寄与から前記エンドイルミネータシステムの前記エンドイルミネータ出力を決定することと、を含む、方法。
【請求項２】
前記エンドイルミネータシステムに関する設定点を受信することと、
前記エンドイルミネータ出力を前記設定点に合わせるように、前記エンドイルミネータシステムの１つ以上の構成要素を調整することと、をさらに含む、請求項１に記載の方法。
【請求項３】
前記ランプのランプ劣化を監視することと、
前記ランプ劣化を補償するように、前記エンドイルミネータシステムの１つ以上の構成要素を調整することと、をさらに含む、請求項１に記載の方法。
【請求項４】
前記照明器寄与の前記計算は、
前記ランプの照明器レグ効率を確立することと、
前記照明器レグ効率を用いて、前記照明器寄与を計算することと、をさらに含む、請求項１に記載の方法。
【請求項５】
前記照明器寄与の前記計算は、
前記ランプの減衰器係数を確立することと、
前記減衰器係数を用いて、前記照明器寄与を計算することと、をさらに含む、請求項１に記載の方法。
【請求項６】
前記照明器寄与の前記計算は、
前記ランプの初期ランプ性能を確立することと、
前記初期ランプ性能を用いて、前記照明器寄与を計算することと、をさらに含む、請求項１に記載の方法。
【請求項７】
前記ファイバ寄与の前記計算は、
前記１つ以上のファイバのファイバ結合係数を確立することと、
前記ファイバ結合係数を用いて、前記ファイバ寄与を計算することと、をさらに含む、請求項１に記載の方法。
【請求項８】
前記ファイバ寄与の前記計算は、
前記１つ以上のファイバのファイバ伝送率を確立することと、
前記ファイバ伝送率を用いて、前記ファイバ寄与を計算することと、をさらに含む、請求項１に記載の方法。
【請求項９】
次のランプの次の初期ランプ性能を決定することと、
前記次の初期ランプ性能を用いて、前記次のランプの次の照明器寄与を計算することと、
前記次の照明器寄与および前記ファイバ寄与から前記エンドイルミネータシステムの次のエンドイルミネータ出力を決定することと、をさらに含む、請求項１に記載の方法。
【請求項１０】
無線もしくは有線通信、記憶されたルックアップテーブル、ユーザ入力、または監視装置を用いて、前記エンドイルミネータ出力を決定するための情報を収集することをさらに含む、請求項１に記載の方法。
【請求項１１】
エンドイルミネータ出力を決定するシステムであって、
エンドイルミネータシステムのランプのランプ性能劣化係数を記憶するように構成された１つ以上のメモリと、
１つ以上のプロセッサであって、
前記ランプ性能劣化係数を用いて、前記ランプの照明器寄与を計算し、
前記エンドイルミネータシステムの１つ以上の光ファイバのファイバ寄与を計算し、かつ
前記照明器寄与および前記ファイバ寄与から前記エンドイルミネータシステムの前記エンドイルミネータ出力を決定するように構成される、１つ以上のプロセッサと、を備える、システム。
【請求項１２】
前記１つ以上のプロセッサが、
前記エンドイルミネータシステムに関する設定点を受信し、かつ
前記エンドイルミネータ出力を前記設定点に合わせるように、前記エンドイルミネータシステムの１つ以上の構成要素を調整するようにさらに構成される、請求項１１に記載のシステム。
【請求項１３】
前記１つ以上のプロセッサが、
前記ランプのランプ劣化を監視し、かつ、
前記ランプ劣化を補償するように、前記エンドイルミネータシステムの１つ以上の構成要素を調整するようにさらに構成される、請求項１１に記載のシステム。
【請求項１４】
前記照明器寄与の前記計算は、
前記ランプの照明器レグ効率を確立することと、
前記照明器レグ効率を用いて、前記照明器寄与を計算することと、をさらに含む、請求項１１に記載のシステム。
【請求項１５】
前記照明器寄与の前記計算は、
前記ランプの減衰器係数を確立することと、
前記減衰器係数を用いて、前記照明器寄与を計算することと、をさらに含む、請求項１１に記載のシステム。
【請求項１６】
前記照明器寄与の前記計算は、
前記ランプの初期ランプ性能を確立することと、
前記初期ランプ性能を用いて、前記照明器寄与を計算することと、をさらに含む、請求項１１に記載のシステム。
【請求項１７】
前記ファイバ寄与の前記計算は、
前記１つ以上のファイバのファイバ結合係数を確立することと、
前記ファイバ結合係数を用いて、前記ファイバ寄与を計算することと、をさらに含む、請求項１１に記載のシステム。
【請求項１８】
前記ファイバ寄与の前記計算は、
前記１つ以上のファイバのファイバ伝送率を確立することと、
前記ファイバ伝送率を用いて、前記ファイバ寄与を計算することと、をさらに含む、請求項１１に記載のシステム。
【請求項１９】
前記１つ以上のプロセッサが、
次のランプの次の初期ランプ性能を決定し、
前記次の初期ランプ性能を用いて、前記次のランプの次の照明器寄与を計算し、かつ
前記次の照明器寄与および前記ファイバ寄与から前記エンドイルミネータシステムの次のエンドイルミネータ出力を決定するように構成される、請求項１１に記載のシステム。
【請求項２０】
前記１つ以上のプロセッサが、
無線もしくは有線通信、記憶されたルックアップテーブル、ユーザ入力、または監視装置を用いて、前記エンドイルミネータ出力を決定するための情報を収集するようにさらに構成される、請求項１１に記載のシステム。
【請求項２１】
エンドイルミネータ出力を決定する方法であって、
初期ランプ性能を確立することと、
前記初期ランプ性能を用いて、前記照明器寄与を計算することと、
ファイバ寄与を計算することと、
前記照明器寄与および前記ファイバ寄与から前記エンドイルミネータ出力を決定することと、を含む、方法。
【請求項２２】
前記エンドイルミネータシステムに関する設定点を受信することと、
前記エンドイルミネータ出力を前記設定点に合わせるように、前記エンドイルミネータシステムの１つ以上の構成要素を調整することと、をさらに含む、請求項２１に記載の方法。
【請求項２３】
前記ランプのランプ劣化を監視することと、
前記ランプ劣化を補償するように、前記エンドイルミネータシステムの１つ以上の構成要素を調整することと、をさらに含む、請求項２１に記載の方法。
【請求項２４】
エンドイルミネータ出力を決定する方法であって、
ファイバ結合係数を確立することと、
前記ファイバ結合係数を用いて、ファイバ寄与を計算することと、
照明器寄与を計算することと、
前記ファイバ寄与および前記照明器寄与から前記エンドイルミネータ出力を決定することと、を含む、方法。
【請求項２５】
前記エンドイルミネータシステムに関する設定点を受信することと、
前記エンドイルミネータ出力を前記設定点に合わせるように、前記エンドイルミネータシステムの１つ以上の構成要素を調整することと、をさらに含む、請求項２４に記載の方法。
【請求項２６】
前記ランプのランプ劣化を監視することと、
前記ランプ劣化を補償するように、前記エンドイルミネータシステムの１つ以上の構成要素を調整することと、をさらに含む、請求項２４に記載の方法。
【発明の詳細な説明】
【技術分野】
【０００１】
本開示は概してエンドイルミネータ（ｅｎｄｏｉｌｌｕｍｉｎａｔｏｒ）に関し、より具体的にはエンドイルミネータシステムからの一貫した出力の提供に関する。
【背景技術】
【０００２】
エンドイルミネータシステムは、光を投影して人間の一部の内部領域（例えば、眼球）または他の有機体などの対象を照らすエンドイルミネータプローブを有する。例えば、エンドイルミネータシステムは、エンドイルミネータプローブに加えて、照明コンソールを含むことができる。照明コンソールは、光源およびその光源からの光をコネクタポートに集光する光学系を収納する。エンドイルミネータプローブは、そのポートで照明コンソールに接続する近位端と、照明光を投射する遠心端とを有する。エンドイルミネータシステムの出力は、エンドイルミネータプローブの遠心端における出力を説明する。エンドイルミネータ出力に関する情報は、ユーザにとって重要となり得る。例えば、硝子体網膜手術において、光量が制御されて網膜に対する過剰な露光が避けられる。しかしながら、特定の既知のエンドイルミネータシステムは、特定の状況で正確で効率的なエンドイルミネータ出力を計算するための技術を提供できない。
【発明の概要】
【０００３】
特定の実施形態において、エンドイルミネータ出力を決定することは、エンドイルミネータシステムの照明器寄与と、前記エンドイルミネータシステムの１つ以上の光ファイバのファイバ寄与とを計算することとを含む。前記エンドイルミネータ出力は前記照明器寄与および前記ファイバ寄与から決定される。前記照明器寄与は、照明器レグ効率、減衰器係数、初期ランプ性能、および／または前記ランプのランプ性能劣化係数などの校正されたまたは経験的に決定された係数を用いて確立されてもよい。前記ファイバ寄与は、前記光ファイバのファイバ結合係数および／またはファイバ伝送率などの校正されたまたは経験的に決定された係数を用いて確立されてもよい。
【０００４】
次に、添付の図面を参照して、本開示の例示的な実施形態を一例として詳細に述べる。
【図面の簡単な説明】
【０００５】
【図１】特定の実施形態による、その出力が計算され得るシステムの一例を示す。
【図２】特定の実施形態による、エンドイルミネータ出力を計算する方法の一例を示す。
【図３】特定の実施形態による、減衰器係数の一例を示す。
【図４】特定の実施形態による、ランプ光度関数の一例を示す。
【図５】特定の実施形態による、ランプ光度劣化関数の一例を示す。
【図６】測定された電力を用いてランプ性能を決定する一例を示す。
【図７】特定の実施形態による、異なるタイプのプローブに関するファイバ伝達関数の例を示す。
【発明を実施するための形態】
【０００６】
次に、説明および図面を参照して、開示された装置、システム、および方法の例示的な実施形態を詳細に示す。説明および図面は、網羅的であること、または別様に、特許請求の範囲を、図面に示され説明において開示される特定の実施形態に限定または制限することを意図しない。図面は可能な実施形態を表しているものの、図面は必ずしも縮尺通りではなく、実施形態をより良く例示するために、ある特定の特徴が誇張される、取り除かれる、または部分的に分割される可能性がある。
【０００７】
図１は、それに対してエンドイルミネータ出力が計算されてもよいシステム１０の一例を示す。システム１０は、エンドイルミネータシステムのコンソールの光学エンベロープ２０に設けられてもよい。エンドイルミネータシステムは、光を投影して人間または他の有機体などの対象を照らすエンドイルミネータプローブを有してもよい。例えば、エンドイルミネータプローブは、照明光を眼球の内部に当てる手術器具であってもよい。
【０００８】
図示された実施例において、システム１０は、図示されるように光学的に、電気的に、および／または機械的に結合された、ランプ（またはイルミネータ）２４、球面鏡２６（２６ａからｂ）、レンズ３０（３０ａからｂ）、コールドミラー３２（３２ａからｂ）、ホットミラー３６（３６ａからｂ）、フィルタ４０（４０ａからｂ）、減衰器４４（４４ａからｂ）、レンズ４６（４６ａからｂ）、ポート（５０ａからｂ）、光ファイバ（５２ａからｂ）、および計算システム６０（１つ以上のメモリ６２および１つ以上のプロセッサ６４を含む）を備える。動作の一例において、ランプ２４は、レンズ３０に向けられた、および／または球面鏡２６によりレンズ３０に向けて反射された光を提供する。レンズ３０は視準を合わせて、光コールドミラー３２に向け、この光は赤外線を伝搬し、ホットミラー３６に可視光を反射する。ホットミラー３６は、フィルタ４０に向けた可視光を透過し、これは残りの紫外線および赤外線光をフィルターする。減衰器４４は、レンズ４６に向けられた光を減衰させ、光をポート５０に向けて集光する。ポートは光を光ファイバ５２に結合する。
【０００９】
具体的な実施形態において、ランプ２４は、いずれかの適切な光源、例えば、アークランプ、発光ダイオード（ＬＥＤ）、またはレーザ光源であってもよい。異なるタイプのランプ２４は、システム１０とともに用いられてもよい。例えば、特定のタイプのランプが用いられて、別のタイプのランプで置き換えられてもよい。ミラー２６は、レンズ３０に光を向ける（例えば、反射させる）いずれかの適切な（反射面などの）光学素子であってもよい。例えば、鏡２６は球面鏡であってもよい。レンズ３０は、光の視準を合わせるいずれかの適切な光学素子であってもよい。例えば、レンズ３０は非球体の集光レンズであってもよい。
【００１０】
コールドミラー３２は、ホットミラー３６に光を向ける（例えば、反射する）いずれかの適切な（反射面などの）光学素子であってもよい。例えば、コールドミラー３２は、誘電体反射鏡、または赤外線を伝搬しながら可視光を反射する干渉フィルタであってもよい。ホットミラー３６は、ホットミラーフィルタ４０に光を向ける（例えば、伝搬する）いずれかの適切な（光学フィルタなどの）光学素子であってもよい。例えば、ホットミラー３６は、誘電体反射鏡、または赤外線を反射しながら可視光を伝搬する干渉フィルタであってもよい。
【００１１】
補助フィルタは、照明光の色を変えるために用いられてもよい。減衰器４４（４４ａからｂ）は、ルーバー減衰器などの、光を減衰するいずれかの適切な装置であってもよい。レンズ４６は、平行光線を有向光に変換する適切な非球体の集光レンズなどの、光をポート５０に向けるいずれかの適切な光学素子であってもよい。ポート５０は、光ファイバ５２に光を結合する。光ファイバ５２は、光を伝送する光導波路であってもよい。光ファイバ５２は、いずれかの適切な直径、例えば、０．１ミリメートル（ｍｍ）から１ｍｍの範囲の直径を有していてもよい。特定の実施形態において、光ファイバ５２は、光をエンドイルミネータプローブなどのプローブに伝搬する。
【００１２】
特定の実施形態において、エンドイルミネータシステムのコンソール内に設けられる計算システム６０は、システム１０を制御するために用いられてもよい。例えば、ユーザは、例えば、タッチスクリーンなどのグラフィカルユーザーインターフェース（ＧＵＩ）を用いて、エンドイルミネータシステムの出力に関する設定点を計算システム６０に入力してもよい。計算システム６０は、設定点を維持するために、システム１０の構成要素を制御してもよい。例えば、計算システム６０は、エンドイルミネータ出力を計算して、出力および設定点間の差異を判定して、かつ、その差異を補償するように構成要素を調整してもよい。特定の実施形態において、計算システム６０は、多少の光を出力するように、減衰器４４および／または光源の電力を調整してもよい。特定の実施形態において、計算システム６０は、エンドイルミネータ出力をユーザに出力（例えば、表示）してもよい。
【００１３】
特定の実施形態において、計算システム６０は、校正および／または経験的に決定された（測定されたおよび／または記録されたなどの）情報などのいずれかの適切な情報を用いて、エンドイルミネータ出力を計算してもよい。情報は、ＵＦＲおよびＦＴＦ情報（以下に記載の）などの、例えば、ランプまたはプローブ情報を含んでもよい。情報は、無線または有線通信を使うなどのいずれかの適切な方法で、記憶されたルックアップテーブル、ユーザ入力、システム１０の１つ以上の構成要素を監視する監視装置、および／または他の適切なプロセッサまたは装置によって収集されてもよい。例えば、読み取り／書き込み関数が電灯時を追跡し得る。
【００１４】
図２は、エンドイルミネータ出力を計算する方法の一例を示す線図７０を示す。エンドイルミネータ出力は、エンドイルミネータシステムのポート５０における出力を示す。出力は、光束出力であってもよい。特定の実施形態において、エンドイルミネータ出力は、エンドイルミネータシステムのランプ２４の照明器寄与の数学的関数と、エンドイルミネータシステムの１つ以上の光ファイバ５２のファイバ寄与とから計算されてもよい。
【００１５】
特定の実施形態において、エンドイルミネータ出力は、照明器寄与およびファイバ寄与の産物であってもよい。例えば、エンドイルミネータ出力ΦLは、方程式（１）を用いて示されてもよい：
ΦL＝照明器寄与＊ファイバ寄与                                      （１）
【００１６】
照明器寄与は、イルミネータの光束出力を説明する。特定の実施形態において、照明器寄与は、ランプ２４を説明する１つ以上の定数および／またはランプ２４の寿命を考慮する１つ以上の時間依存係数の数学的関数であってもよい。例えば、定数値は、照明器レグ効率、減衰係数、および／または初期ランプ性能を含んでもよい。時間依存係数は、ランプ性能劣化係数を含んでもよい。特定の実施形態において、照明器寄与は直接、サンプリングされ、測定されてもよい。
【００１７】
ファイバ寄与は、光ファイバ５２がいかに良好に光を伝送するかを示す。特定の実施形態において、ファイバ寄与は、定数値の関数および／または時間依存係数であってもよい。例えば、定数値は、ファイバ結合係数であってもよく、また時間依存係数は、ファイバ伝送率であってもよい。
【００１８】
具体的な実施形態において、照明器寄与およびファイバ寄与は、方程式（２）を用いて示されてもよい：
ΦL＝ηL×ｆL×Ｉ（Ｐ0）×ＬＩＤＦ（ｔ）×ＵＦＲ×ＦＴＦ（ｔ）      （２）
【００１９】
照明器寄与はηL×ｆL×Ｉ（Ｐ0）×ＬＩＤＦ（ｔ）により与えられる。ここで、ηLは照明器レグ効率であり、ｆLは減衰器係数であり、Ｉ（Ｐ0）は初期ランプ性能であり、およびＬＩＤＦ（ｔ）はランプ性能劣化係数である。ファイバ寄与はＵＦＲ×ＦＴＦ（ｔ）により与えられる。ここで、ＵＦＲは、ガラスファイバ標準と相対的なファイバプローブのファイバ伝送率（典型的に、低光度、安定、拡散試験光源により測定される）であり、ＦＴＦ（ｔ）は、ファイバ伝達関数（試験光源と相対的な実際の光源の結合率）である。
【００２０】
照明器レグ効率は、最高効率を有するとみなされてもよい基準ランプについて、ランプ２４の光学効率のパーセンテージを測定する。特定の実施形態において、照明器レグ効率は、ランプ２４の製造中に行われる校正の際、決定されてもよい。
【００２１】
減衰器係数は、減衰器４４の位置について、減衰器４４を介した伝送を説明する。特定の実施形態において、減衰器係数は、ランプ２４の製造の際、決定されてもよい。減衰器係数の一例は、図３を参照して示される。
【００２２】
初期ランプ性能は、標準ファイバ（典型的に、試験期間とともに劣化しないガラスファイバ標準など）を介したランプ２４の初期光束出力を説明する。特定の実施形態において、初期ランプ性能は、ランプ２４の電力消費および電力消費について光束出力を説明するランプ光度関数を用いて推定されてもよい（例えば、ランプ２４の初期ウォームアップ循環の後で測定されてもよい）。ランプ光度関数は、いずれかの適切な方法で、例えば、経験的データから、決定されてもよい。ランプ光度関数の一例は、方程式（３）を用いて示されてもよい。
【数１】
2015506540.tif 000003
ここで、Ｃiは、経験的に決定され、また、ｎ＞３などのｎ＞０、例えば、ｎ＝９。ランプ光度関数の一例は、図４を参照して示される。
【００２３】
初期ランプ性能は、他の適切な方法で、例えば、ランプ２４の初期出力をサンプリングすることにより、決定されてもよい。特定の実施形態において、初期ランプ性能は、付加データ、例えば、付加電力消費データに応じて、調整されてもよい。特定の実施形態において、次の初期ランプ性能は、交換用ランプなどの次のランプに関して、決定されてもよい。次のランプの次の照明器寄与は、次の初期ランプ性能を用いて計算されてもよく、エンドイルミネータシステムの次のエンドイルミネータ出力は、次の照明器寄与およびファイバ寄与から決定されてもよい。
【００２４】
ランプ性能劣化係数は、ランプ２４が古くなるにつれてのランプ２４の光度の劣化を説明する。特定の実施形態において、ランプ性能劣化係数は、ランプの寿命の正規化関数であるランプ光度劣化関数を用いて、決定されてもよい。ランプ性能劣化関数は、経験的データから、決定されてもよい。例えば、データは、標準ファイバを通して測定された光束がランプ寿命の関数としていかにして劣化するかを示してもよい。標準ファイバは、例えば、ガラスファイバ標準（ＧＦＳ）であってもよく、また、光が制御された方法で透過するために開口角および空間を提供してもよい。ランプ性能劣化関数の一例は方程式（４）を用いて示されてもよい。
【数２】
2015506540.tif 000004
ここで、Ａiは、経験的に決定され、また、ｎ＞３などのｎ＞０、例えば、ｎ＝９。ランプ性能劣化関数の一例は、図５を参照して示される。
【００２５】
ランプ性能劣化は、他の適切な方法で、例えばランプ電力消費を監視することにより、決定されてもよい。測定された電力を用いるランプ性能を決定する一例は、図６を参照して示される。
【００２６】
ファイバ結合係数は、光ファイバ５２に向けられる光として光束がいかにして劣化するかを説明する。ファイバ結合係数は、特定のタイプのプローブの光束出力が、標準ファイバを通した光束出力に関していかにして劣化するかを説明するファイバ伝達関数から決定されてもよい。特定の実施形態において、特定のタイプのプローブは、ファイバ伝達関数を有してもよい。ファイバ伝達関数は、計算システム６０またはプローブに記憶された経験的データから決定されてもよい。ファイバ伝達関数の一例は、方程式（５）を用いて示されてもよい。
【数３】
2015506540.tif 000005
ここで、Ｂiは、経験的に決定され、また、ｎ＞３などのｎ＞０、例えば、ｎ＝９。異なるタイプのプローブに関するファイバ伝達関数の例は、図６を参照してさらに詳細に示される。
【００２７】
ファイバ伝送率は、特定のプローブの伝送と基準ファイバの伝送との比率を説明する。例えば、ファイバ伝送率は、普遍的光束率（ＵＦＲ）であってもよい。特定の実施形態において、ファイバ伝送率に関するコードは、プローブがシステム１０に接続されているとき、ファイバ伝送率を取得するためにシステム１０がコードを読み取るようにプローブ上に設けられてもよい。コードは、例えば、無線周波数識別子（ＲＦＩＤ）であってもよい。
【００２８】
図３は、減衰器係数の一例を示す。線図７６は、ポート５０に関する減衰器位置についての減衰器伝送の一例を示す。減衰器伝送は伝送のパーセンテージで与えられ、また減衰器位置は、度数またはステッピングモータのステップ単位で与えられ、この場合単一のステッピング運動の工程は、工程ごとの所定の度数の運動を産出する（例えば、０．５度／工程）。
【００２９】
図４は、ランプ光度関数の一例を示す。線図７８は、測定された電力消費（ワットで表す）および光束（ルーメンで表す）を説明するデータから決定されたランプ光度関数の一例を示す。関数は、いずれかの適切な曲線適合法を用いたデータから計算されてもよい。
【００３０】
図５は、ランプ光度劣化関数の一例を示す。線図７８は、ランプ寿命（時間で表す）についてのランプ出力の一例を示す。ランプ出力は、ランプの最大出力について標準化される。
【００３１】
図６は、測定された電力を用いてランプ性能を決定する一例を示す。線図８２は、異なるランプのランプ寿命についての測定された電力を示し、Ｈは、特定のタイプのランプの劣化率特徴を表す指数である。線図８４は、線図８２から決定された、異なるランプのランプ寿命についてのランプ性能を示す。
【００３２】
アークランプに関して、電力増加率は、アークランプ上の出射スポットの物理的な大きさに比例している。光学システムは、光ファイバの入り口開口部に対して、ランプ上の出射スポットを再度、撮像するため、結合効率は、ランプスポットの大きさに反比例して劣化する。このため、大幅な生産変動を示すランプに関して、ランプの燃焼寿命を超えた電力消費増加率を監視することにより、システムは適切なランプ性能劣化係数曲線（８４で示される）を選択可能になる。特定の実施形態において、指数選択は、ランプ性能劣化係数曲線が（例えば、５０時間で）実質的に発散する場合より前に行われる。
【００３３】
図７は、異なるタイプのプローブに関するファイバ伝達関数の例を示す。線図８６は、（ランプの実行時間として与えられる）時間についてのファイバ伝達関数を示す。ファイバ伝達関数（ＦＴＦ）は、プローブＵＦＲで割られた、プローブに関する光束対ガラスファイバ標準（ＧＦＳ）の光束の比率、すなわち、ＦＴＦ＝プローブからの光束／（ＧＦＳからの光束*プローブのＵＦＲ）として表現されてもよい。
【００３４】
本明細書に開示されるシステムおよび装置の構成要素は、インターフェース、論理、メモリ、および／または他の好適な要素を含んでもよく、そのいずれも、ハードウェアおよび／またはソフトウェアを含んでもよい。インターフェースは、入力を受信し、出力を送信し、入力および／もしくは出力を処理し、ならびに／または他の好適な操作を実行し得る。論理は、構成要素の操作を実行することができ、例えば、命令を実行して入力から出力を生成することができる。論理は、メモリにコード化されてもよく、またコンピュータにより実行されると操作を実行することができる。論理は、プロセッサ、例えば１つ以上のコンピュータ、１つ以上のマイクロプロセッサ、１つ以上のアプリケーション、および／または他の論理であってもよい。メモリは、情報を記憶することができ、また１つ以上の有形のコンピュータ可読および／またはコンピュータにより実行可能な記憶媒体を含み得る。メモリの例は、コンピュータメモリ（例えば、ランダムアクセスメモリ（ＲＡＭ）もしくは読み取り専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、データベースおよび／またはネットワーク記憶装置（例えば、サーバ）、ならびに／あるいは他のコンピュータ可読媒体を含む。
【００３５】
具体的な実施形態において、コンピュータプログラム、ソフトウェア、コンピュータにより実行可能な命令、および／またはコンピュータにより実行され得る命令がコード化された１つ以上のコンピュータ可読媒体により、実施形態の操作が実行され得る。具体的な実施形態において、コンピュータプログラムを記憶する、それが具現化された、および／もしくはそれがコード化された、ならびに／または記憶および／もしくはコード化されたコンピュータプログラムを有する１つ以上のコンピュータ可読媒体により、操作が実行され得る。
【００３６】
この開示は特定の実施形態の観点から記載されているが、実施形態の修正（変更、置換、付加、省略、および／または他の修正などの）は当業者にとって自明であろう。したがって、本発明の範囲を逸脱しない範囲で実施形態に修正が行われ得る。例えば、本明細書に開示されるシステムおよび装置に修正が行われ得る。システムおよび装置の構成要素は統合しても分離してもよく、システムおよび装置の操作は、さらに多くの、またはさらに少ない、または他の構成要素により実行され得る。別の実施例として、本明細書に開示される方法に修正が行われ得る。本方法は、さらに多くの、またはさらに少ない、または他の工程を含み、工程はいずれかの適切な順序で実行され得る。
【００３７】
本発明の範囲を逸脱しない範囲で、他の修正が行われ得る。例えば、説明は、特定の実際の適用における実施形態を示し、さらに他の適用が当業者にとって自明であろう。また、さらなる発展は本明細書に開示された技術において発生し、開示されたシステム、装置、および方法は、そのような将来の発展と共に利用されるであろう。
【００３８】
本発明の範囲は、説明を参照して決定されるべきではない。特許法に従い、説明は、例示的な実施形態を用いて、本発明の原則および動作方式を説明し、示す。説明によって、当業者は、様々な実施形態におけるシステム、装置および方法を、様々な修正と共に利用することができるが、説明は、本発明の範囲を決定するために使用されるべきではない。
【００３９】
本発明の範囲は、特許請求の範囲および請求の範囲の権利が与えられる等価物の十分な範囲を参照して、決定されるべきである。すべての請求の範囲の用語には、本明細書にそうでないと明示されていない限り、当業者に理解されるように、それらの最も広い範囲の合理的な構造およびそれらの通常の意味が与えられるべきである。例えば、「ａ」や「ｔｈｅ」などの単数を表す冠詞の使用は、請求項が明確にそれとは反対の限定を挙げない限り、１つ以上の記載された要素を記載するように読まれるべきである。別の例として、「各」は、集合の各要素または集合の部分集合の各要素を指し、集合は、ゼロ、１つ、または２つ以上の要素を含み得る。要するに、本発明は修正が可能であり、本発明の範囲は、説明を参照するのではなく、請求の範囲およびその十分な範囲の等価物を参照して決定されるべきである。
【図１】
2015506540.tif 000006
【図２】
2015506540.tif 000007
【図３】
2015506540.tif 000008
【図４】
2015506540.tif 000009
【図５】
2015506540.tif 000010
【図６】
2015506540.tif 000011
【図７】
2015506540.tif 000012
【国際調査報告】
2015506540.tif 000013